(57)【要約】【課題】安価で、据付時ゴミが出ず、据付作業性がよい天井吊り下げ形空気調和機を提供する。【解決手段】本天井吊り下げ形空気調和機は、天井に取り付けた吊りボルトが、筐体に設けた吊り金具の取付孔を貫通し、吊り金具を上下二枚のワッシャと吊りボルトに螺合する上下２つのナットとで挟み込んで、筐体を天井に固定し、上側ワッシャは吊りボルトが貫通するボルト貫通孔を重心から偏倚した位置に設ける。【選択図】  図３
2009063265.tif 000002
【特許請求の範囲】
【請求項１】
天井に取り付けた吊りボルトが、筐体に設けた吊り金具の取付孔を貫通し、前記吊り金具を上下二枚のワッシャと前記吊りボルトに螺合する上下２つのナットで挟みこんで、前記筐体を天井に固定する天井吊り下げ形空気調和機において、前記上側ワッシャは前記吊りボルトが貫通するボルト貫通孔を重心から偏倚した位置に設けることを特徴とする天井吊り下げ形空気調和機。
【請求項２】
前記上側ワッシャは長円形状であることを特徴とする請求項１に記載の天井吊り下げ形空気調和機。
【請求項３】
前記上側ワッシャは前記吊金具の平面部から打ち抜かれることを特徴とする請求項２に記載の天井吊り下げ形空気調和機。
【請求項４】
前記吊りボルトを通すボルト挿入用孔を前記取付孔に連設し、このボルト挿入用孔の挿入側端部にガイド用切欠部を設けることを特徴とする請求項１または２に記載の天井吊り下げ形空気調和機。
【発明の詳細な説明】
【技術分野】
【０００１】
本発明は天井吊り下げ形空気調和機に係り、特に、筐体の取り付け構造を改良した天井吊り下げ形空気調和機に関する。
【背景技術】
【０００２】
従来、室内熱交換器、室内送風機を収容する筐体を吊り金具と天井に取り付けた吊りボルトにより、天井に吊り下げる天井吊り下げ形空気調和機において、吊りボルトに上下二枚のワッシャとナットを取り付け、この上下二枚のワッシャで吊り金具を挟むようにして、ナットで締め付けて固定し、筐体を天井に吊り下げていた。
【０００３】
しかし、従来の固定構造では、取り付けの際に上側のワッシャが重力で落ちるため、上側のワッシャを上側のナットにテープ等で固定したり、上側のワッシャとは別個に上側のワッシャの落下を防止するためにボール紙からなるワッシャ保持片を吊りボルトに仮止めしている（例えば、特許文献１参照）。
【０００４】
しかしながら、特許文献１に記載のワッシャ保持片を用いるものは、ワッシャ保持片をワッシャと別個に必要とするため、コストアップになり、また、据え付け後、除去されるワッシャ保持片がゴミとなったり、吊り金具に設けた取付孔に吊りボルトを通し難く、作業性が低下する問題があった。
【特許文献１】特開平８−７４２４１号公報
【発明の開示】
【発明が解決しようとする課題】
【０００５】
本発明は上述した事情を考慮してなされたもので、安価で、据付時ゴミが出ず、据付作業性がよい天井吊り下げ形空気調和機を提供することを目的とする。
【課題を解決するための手段】
【０００６】
上述した目的を達成するため、本発明に係る天井吊り下げ形空気調和機は、天井に取り付けた吊りボルトが、筐体に設けた吊り金具の取付孔を貫通し、前記吊り金具を上下二枚のワッシャと前記吊りボルトに螺合する上下２つのナットとで挟み込んで、前記筐体を天井に固定する天井吊り下げ形空気調和機において、前記上側ワッシャは前記吊りボルトが貫通するボルト用孔を重心から偏倚した位置に設けることを特徴とする。
【発明の効果】
【０００７】
本発明に係る天井吊り下げ形空気調和機によれば、安価で、据付時ゴミが出ず、据付作業性がよい天井吊り下げ形空気調和機を提供することができる。
【発明を実施するための最良の形態】
【０００８】
本発明の一実施形態に係る天井吊り下げ形空気調和機について図面を参照して説明する。
【０００９】
図１は本発明の一実施形態に係る天井吊り下げ形空気調和機の斜視図である。
【００１０】
図１に示すように、本発明の一実施形態に係る天井吊り下げ形空気調和機１は、筐体２を備え、この筐体２はいずれも図示しない室内熱交換器、室内送風機を収容する。筐体２の下面には、吸込みグリル２ｐ１や吹出し口２ｐ２を有する化粧パネルｐが取り付けられる。
【００１１】
筐体２は同様の４組の取付手段３によって天井４に吊り下げて取り付けられる。
【００１２】
図２および図３に示すように、各々の取付手段３は天井４に取り付けた吊りボルト５と、筐体２の一側壁２ａに取り付けられる吊り金具６と、この吊り金具６を上下から挟み、吊りボルト５が貫通する上側ワッシャ７、下側ワッシャ８と、吊りボルト５に螺合し、上下から吊り金具６、上側ナット９、下側ナット１０からなる。
【００１３】
図３および図４に示すように、吊り金具６は板金製で、側面視略コ字状をなし、ネジ孔６ａ１を設けた平面部６ａと、この平面部６ａの一端側に立設され、ネジ孔６ｂ１を設けた化粧パネル取付部６ｂと、平面部６ａの他端側に立設されるボルト取付部６ｃからなる。このボルト取付部６ｃには、略Ｌ字形状をなし、吊りボルト５が貫通する取付孔６ｃ１が設けられ、この取付孔６ｃ１にはこの取付孔６ｃ１に連通し、吊りボルト５を通すボルト挿入用孔６ｃ２を設け、さらに、このボルト挿入用孔６ｃ２の挿入側端部にガイド用切欠部６ｃ３を設ける。
【００１４】
吊り金具６の一側壁２ａへの取り付けは、一側壁２ａの内側に平面部６ａを当接させ、ネジ孔６ａ１を介して一側壁２ａに螺着することで行われ、一側壁２ａに設けた開口２ａ１からボルト取付部６ｃが筐体２外に露出する。
【００１５】
図５に示すように、上側ワッシャ７は板金製で円板形状をなし、その重心から偏倚した位置に吊りボルト５が貫通（遊嵌）するボルト貫通孔７ａが設けられる。
【００１６】
次に、取付手段３を用いた筐体２の天井４への吊り下げについて説明する。
【００１７】
図３および図６に示すように、出荷時予め筐体２には吊り金具６が取り付けられ、吊り金具６のボルト取付部６ｃは筐体２外に露出している。
【００１８】
天井４に取り付けた吊りボルト５に上側ナット９を螺合して、適宜の高さに位置させる。
【００１９】
さらに、上側ワッシャ７を吊りボルト５に貫通させ、上側ナット９と離間させて適宜の高さに位置させる。このとき、図５に示すように、上側ワッシャ７は重心から偏倚した位置にボルト貫通孔７ａを設けているので、上側ナット９は自然に傾き、吊りボルト５とボルト貫通孔７ａの係合により当初の位置に一時的に保持され、落下することがない。すなわち、上側ワッシャ７は自己位置保持機能を備える。
【００２０】
また、吊りボルト５に下側ワッシャ８を貫通させ、下側ナット１０を螺合させ、所定の高さに位置させる。４組の取付手段３について、同様の作業を行う。
【００２１】
しかる後、筐体２を持ち上げ、吊り金具６の取付孔６ｃ１に、ボルト挿入用孔６ｃ２を介して吊りボルト５を貫通させ、４組の取付手段３によって、筐体２を支持し、必要に応じて下側ナット１０を適宜回転させて、水平合わせを行う。
【００２２】
水平合わせが完了したら、吊りボルト５とボルト貫通孔７ａの係合を解除して、上側ワッシャ７を落下させて、吊り金具６の平面部６ａに当接させ、上側ワッシャ７と下側ワッシャ８で平面部６ａを挟み、さらに、上側ナット９を回転させながら降下させ、上側ワッシャ７、下側ワッシャ８を介して、上側ナット９と下側ナット１０で平面部６ａを強固に挟持し、筐体２を天井４に吊り下げる。
【００２３】
上記のような筐体の天井への吊り下げ時、上側ワッシャ７は自己位置保持機能を備えることで、一時的に適宜の位置を保持し、筐体の据付作業中、吊りボルト５を吊金具６の取付孔６ｃ１に通す際、上側ワッシャ７の落下がなく、据付作業が容易になる。
【００２４】
また、ボルト挿入用孔６ｃ２の挿入側端部にガイド用切欠部６ｃ３を設けることで、吊りボルト５を取付孔６ｃ１に貫通させる作業が容易になる。
【００２５】
さらに、上側ワッシャ７は自己位置保持機能を備えることで、上側ワッシャ７とは別個にワッシャ保持片を用いる必要がなく、安価で、ゴミが出ることがない。
【００２６】
本実施形態の天井吊り下げ形空気調和機によれば、安価で、据付時ゴミが出ず、据付作業性がよい天井吊り下げ形空気調和機が実現する。
【００２７】
また、上側ワッシャの変形例について説明する。
【００２８】
本変形例は、上記実施形態に用いる上側ワッシャが円板形状であるのに対して、長円形状である。
【００２９】
例えば、図７〜図９に示すように、取付手段３はボルト５と、吊り金具６Ａと、本変形例の上側ワッシャ７Ａ、下側ワッシャ８と、吊りボルト５に螺合し、上下から吊り金具６、上側ナット９、下側ナット１０からなる。
【００３０】
上側ワッシャ７Ａは長円形状であり、その重心から偏倚した位置に吊りボルト５が貫通（遊嵌）するボルト貫通孔７ａが設けられる。
【００３１】
これにより、上側ワッシャ７Ａは自己位置保持機能を備え、筐体の据付作業中、吊りボルトを吊り金具の取付孔に通す際、上側ワッシャの落下がなく、据付作業が容易になる。
【００３２】
図１０に示すように、上側ワッシャ７Ａは吊り金具６Ａの平面部６Ａａから打ち抜いて製作するのが好ましい。これにより、材料費をかけずに上側ワッシャを製作することができ、同時に吊り金具を軽量化することができる。
【００３３】
他の構成は図４に示す上側ワッシャと異ならないので、同一符号を付して説明は省略する。
【図面の簡単な説明】
【００３４】
【図１】本発明の一実施形態に係る天井吊り下げ形空気調和機の斜視図。
【図２】本発明の一実施形態に係る天井吊り下げ形空気調和機の取付手段の側面図。
【図３】本発明の一実施形態に係る天井吊り下げ形空気調和機の取付手段の分解斜視図。
【図４】本発明の一実施形態に係る天井吊り下げ形空気調和機に用いる吊り金具の斜視図。
【図５】本発明の一実施形態に係る天井吊り下げ形空気調和機に用いる上側ワッシャ平面図。
【図６】本発明の一実施形態に係る天井吊り下げ形空気調和機の取付手段を用いた取付状態を示す斜視図。
【図７】本発明の一実施形態に係る天井吊り下げ形空気調和機の取付手段に上側ワッシャの変形例を用いた側面図。
【図８】本発明の一実施形態に係る天井吊り下げ形空気調和機の取付手段に上側ワッシャの変形例を用いた分解斜視図。
【図９】本発明の一実施形態に係る天井吊り下げ形空気調和機に用いる上側ワッシャの変形例の平面図。
【図１０】本発明の一実施形態に係る天井吊り下げ形空気調和機に用いる吊り金具と上側ワッシャの変形例の斜視図。
【符号の説明】
【００３５】
１…天井吊り下げ形空気調和機、２…筐体、２ａ…一側壁、２ｐ…化粧パネル、３…取付手段、５…吊りボルト、６…吊り金具、６ａ…平面部、６ｂ…化粧パネル取付部、６ｃ…ボルト取付部、６ｃ１…取付孔、６ｃ２…ボルト挿入用孔、６ｃ３…ガイド用切欠部、７…上側ワッシャ、７ａ…ボルト貫通孔、８…下側ワッシャ、９…上側ナット、１０…下側ナット。
【図１】
2009063265.tif 000003
【図２】
2009063265.tif 000004
【図３】
2009063265.tif 000005
【図４】
2009063265.tif 000006
【図５】
2009063265.tif 000007
【図６】
2009063265.tif 000008
【図７】
2009063265.tif 000009
【図８】
2009063265.tif 000010
【図９】
2009063265.tif 000011
【図１０】
2009063265.tif 000012